(57)【要約】      （修正有）【課題】免震装置の動作に伴い基礎に対して上部建物が動いた場合でも、竪樋の破損を防止するとともに、優れたデザイン性を有する免振建物用竪樋を提供する。【解決手段】基礎９と上部建物８の間に免震装置１０を備えた建物に用いる免振建物用竪樋１であって、上部建物に固定される第１竪樋２と、基礎に固定される第２竪樋７と、第１竪樋と第２竪樋の間に接続される接続部材３を備え、接続部材は、第１自在継手部材４と、筒状部材５と、第２自在継手部材６を備え、第１、第２自在継手部材には、それぞれ凸球面及び凹球面が形成され、凸球面と凹球面が、各々、第１竪樋と第２竪樋の外径の内側に位置し、第１竪樋の下端部と第１上継手部及び、第２下継手部と第２竪樋の上端部が固定されており、第１下継手部と筒状部材の上端部又は、筒状部材の下端部と第２上継手部の何れかが固定されていない。【選択図】図１
2018178632.tif 000002
【特許請求の範囲】
【請求項１】
基礎と上部建物の間に免震装置を備えた建物に用いる免振建物用竪樋であって、
軒樋に接続されるとともに、前記上部建物に固定される第１竪樋と、
前記基礎に固定される第２竪樋と、
前記第１竪樋と前記第２竪樋の間に接続される接続部材を備え、
前記接続部材は、第１自在継手部材と、筒状部材と、第２自在継手部材を備え、
前記第１自在継手部材は、
前記第１竪樋の下端部と接続可能な第１上継手部と、前記筒状部材の上端部と接続可能な第１下継手部からなり、前記第１上継手部と前記第１下継手部は第１ボールジョイントにより接続され、
前記第１上継手部の下端部には、雨水が通水可能な通水口を有する第１部分凸球面が形成され、
前記第１下継手部の上端部には、雨水が通水可能な通水口を有する、前記第１部分凸球面に対応する形状の第１部分凹球面が形成されており、
前記第２自在継手部材は、
前記筒状部材の下端部と接続可能な第２上継手部と、前記第２竪樋の上端部と接続可能な第２下継手部からなり、前記第２上継手部と前記第２下継手部は第２ボールジョイントにより接続され、
前記第２上継手部の下端部には、雨水が通水可能な通水口を有する第２部分凸球面が形成され、
前記第２下継手部の上端部には、雨水が通水可能な通水口を有する、前記第２部分凸球面に対応する形状の第２部分凹球面が形成されており、
前記第１部分凸球面と前記第１部分凹球面及び、前記第２部分凸球面と前記第２部分凹球面が、各々、前記第１竪樋と前記第２竪樋の外径の内側に位置し、
前記第１竪樋の下端部と前記第１上継手部及び、前記第２下継手部と前記第２竪樋の上端部が固定されており、前記第１下継手部と前記筒状部材の上端部又は、前記筒状部材の下端部と前記第２上継手部の何れかが固定されていないことを特徴とする免振建物用竪樋。
【請求項２】
前記第１上継手部と前記第１下継手部を接続する前記第１ボールジョイントは、前記第１上継手部の内部に設けられた第１ソケット部と、前記第１下継手部の前記第１部分凹球面の中央部付近から、前記第１ソケット部に向けて起立する第１ボールスタッドを有し、前記第１ソケット部と前記第１ボールスタッドの嵌合により支持されており、
前記第２上継手部と前記第２下継手部を接続する前記第２ボールジョイントは、前記第２上継手部の内部に設けられた第２ソケット部と、前記第２下継手部の前記第２部分凹球面の中央部付近から、前記第２ソケット部に向けて起立する第２ボールスタッドを有し、前記第２ソケット部と前記第２ボールスタッドの嵌合により支持されていることを特徴とする請求項１に記載の免振建物用竪樋。
【発明の詳細な説明】
【技術分野】
【０００１】
本発明は、免振建物用竪樋に関する。
【背景技術】
【０００２】
近年、基礎と上部建物の間に免震装置を取り付けた免震建物が普及してきている。この免震建物は、地震や暴風などによる揺れにより免震装置が作動し、建物が基礎に対して相対的に動くことにより、建物に地震等の揺れを伝わりにくくしている。
【０００３】
一方、一般の木造、鉄骨構造の戸建住宅等の建物には、屋根の軒先に軒樋が設けられており、軒樋で受けた雨水を軒下に導き、排水するために竪樋が接続されている。そして、この竪樋は、通常、上部建物と基礎を繋ぐように取付けられている。
【０００４】
ここで、免震建物に対して上記のような通常の竪樋を設置した場合、地震等の発生に伴い免震装置が作動して、基礎に対して上部建物が動くと、基礎と上部建物のずれにより竪樋が破損することが懸念される。
【０００５】
このような問題に対して、これまでに、上部建物側の上竪樋と、基礎側の下竪樋と、上下の竪樋を連通接続する中間樋材とを備え、上下の竪樋と中間樋材が自在継手により接続された免震建物用の縦樋が提案されている（例えば、特許文献１を参照）。
【０００６】
この提案では、中間樋材の上端部と上竪樋の下端部及び、中間樋材の下端部と下竪樋の上端部とが、それらの端部周壁を半球を越える球状に膨出成形した球状継ぎ手部同士を嵌め合わせて形成した自在継ぎ手機構により連結することを条件としている。そして、これにより、耐久性を有し、地震後の再取付けも不要な免震建物用の竪樋とすることができるとしている。
【先行技術文献】
【特許文献】
【０００７】
【特許文献１】特開２００７−１２０１７１号公報
【発明の概要】
【発明が解決しようとする課題】
【０００８】
しかしながら、特許文献１の免振建物用の竪樋では、上下の竪樋と中間樋材とを球状に膨出成形した球状継ぎ手部により連結しているため、竪樋を建物から離れた位置に設置する必要があり、竪樋を取り付けるための特殊な竪樋用控え具を用いる必要があった。
【０００９】
また、基礎と上部建物の間を挟む位置に球状に膨出した連結部が露出するため、建物の外観デザインが劣るという問題があった。
【００１０】
本発明は、上記従来の問題点に鑑みてなされたものであり、免震建物に設置した場合に、免震装置の動作に伴って基礎に対して上部建物が動いた場合でも、竪樋の破損を防止するとともに、優れたデザイン性を有する免振建物用竪樋を提供することを課題とする。
【課題を解決するための手段】
【００１１】
本発明は、上記の課題を解決するために、以下のことを特徴としている。
【００１２】
すなわち、本発明の免振建物用竪樋は、基礎と上部建物の間に免震装置を備えた建物に用いる免振建物用竪樋であって、軒樋に接続されるとともに、前記上部建物に固定される第１竪樋と、前記基礎に固定される第２竪樋と、前記第１竪樋と前記第２竪樋の間に接続される接続部材を備え、前記接続部材は、第１自在継手部材と、筒状部材と、第２自在継手部材を備え、前記第１自在継手部材は、前記第１竪樋の下端部と接続可能な第１上継手部と、前記筒状部材の上端部と接続可能な第１下継手部からなり、前記第１上継手部と前記第１下継手部は第１ボールジョイントにより接続され、前記第１上継手部の下端部には、雨水が通水可能な通水口を有する第１部分凸球面が形成され、前記第１下継手部の上端部には、雨水が通水可能な通水口を有する、前記第１部分凸球面に対応する形状の第１部分凹球面が形成されており、前記第２自在継手部材は、前記筒状部材の下端部と接続可能な第２上継手部と、前記第２竪樋の上端部と接続可能な第２下継手部からなり、前記第２上継手部と前記第２下継手部は第２ボールジョイントにより接続され、前記第２上継手部の下端部には、雨水が通水可能な通水口を有する第２部分凸球面が形成され、前記第２下継手部の上端部には、雨水が通水可能な通水口を有する、前記第２部分凸球面に対応する形状の第２部分凹球面が形成されており、前記第１部分凸球面と前記第１部分凹球面及び、前記第２部分凸球面と前記第２部分凹球面が、各々、前記第１竪樋と前記第２竪樋の外径の内側に位置し、前記第１竪樋の下端部と前記第１上継手部及び、前記第２下継手部と前記第２竪樋の上端部が固定されており、前記第１下継手部と前記筒状部材の上端部又は、前記筒状部材の下端部と前記第２上継手部の何れかが固定されていないことを特徴とする。
【発明の効果】
【００１３】
本発明によれば、免震建物に設置した場合に、免震装置の動作に伴って基礎に対して上部建物が動いた場合でも、竪樋の破損を防止するとともに、優れたデザイン性を有する免振建物用竪樋を提供することができる。
【図面の簡単な説明】
【００１４】
【図１】本発明の免振建物用竪樋を免震建物に設置した状態の一実施形態を示す概略図である。
【図２】接続部材の一実施形態を示す概略断面図である。
【図３】第１竪樋と第２竪樋がずれたときの接続部材の状態を示す概略断面図である。
【図４】第１自在継手部材の構造の一実施形態を示す一部切り欠き分解斜視図である。
【図５】第２自在継手部材の構造の一実施形態を示す一部切り欠き分解斜視図である。
【図６】基礎に対して上部建物が左にずれた状態を示す概略正面図である。
【図７】基礎に対して上部建物が前方にずれた状態を示す概略側面図である。
【発明を実施するための形態】
【００１５】
本発明の免振建物用竪樋について図面に基づいて以下に詳述する。図１は、本発明の免振建物用竪樋を免震建物に設置した状態の一実施形態を示す概略図である。図２は、接続部材の一実施形態を示す概略断面図であり、図３は、第１竪樋と第２竪樋がずれたときの接続部材の状態を示す概略断面図である。また、図４は、第１自在継手部材の構造の一実施形態を示す一部切り欠き分解斜視図であり、図５は、第２自在継手部材の一部切り欠き分解斜視図である。
【００１６】
本実施形態の免振建物用竪樋１は、基礎９と上部建物８の間に免震装置１０を備えた建物に用いるものである。
【００１７】
この免振建物用竪樋１は、軒樋８２に接続されるとともに、上部建物８に固定される第１竪樋２と、基礎９に固定される第２竪樋７と、第１竪樋２と第２竪樋７の間に接続される接続部材３を備えている。接続部材３は、第１自在継手部材４と、筒状部材５と、第２自在継手部材６を備えている。
【００１８】
第１自在継手部材４は、第１竪樋２の下端部と接続可能な第１上継手部４１と、筒状部材５の上端部と接続可能な第１下継手部４２からなっている。
【００１９】
第１上継手部４１と第１下継手部４２は第１ボールジョイント４３により接続され、第１上継手部４１の下端部には、雨水が通水可能な通水口４１３を有する第１部分凸球面４１２が形成されている。また、第１下継手部４２の上端部には、雨水が通水可能な通水口４２３を有する、第１部分凸球面４１２に対応する形状の第１部分凹球面４２２が形成されている。
【００２０】
第２自在継手部材６は、筒状部材５の下端部と接続可能な第２上継手部６１と、第２竪樋７の上端部と接続可能な第２下継手部６２からなっている。
【００２１】
第２上継手部６１と第２下継手部６２は第２ボールジョイント６３により接続され、第２上継手部６１の下端部には、雨水が通水可能な通水口６１３を有する第２部分凸球面６１２が形成されている。また、第２下継手部６２の上端部には、雨水が通水可能な通水口６２３を有する、第２部分凸球面６１２に対応する形状の第２部分凹球面６２２が形成されている。
【００２２】
そして、第１部分凸球面４１２と第１部分凹球面４２２及び、第２部分凸球面６１２と第２部分凹球面６２２が、各々、第１竪樋２と第２竪樋７の外径の内側に位置している。
【００２３】
また、第１竪樋２の下端部と第１上継手部４１及び、第２下継手部６２と第２竪樋７の上端部が固定されており、第１下継手部４２と筒状部材５の上端部又は、筒状部材５の下端部と第２上継手部６１の何れかは固定されていない。
【００２４】
また、本実施形態の免振建物用竪樋１では、第１上継手部４１と第１下継手部４２を接続する第１ボールジョイント４３は、第１上継手部４１の内部に設けられた第１ソケット部４１４を有していることが好ましい。そして、第１下継手部４２の第１部分凹球面４２２の中央部付近から、第１ソケット部４１４に向けて起立する第１ボールスタッド４２４を有し、第１ソケット部４１４と第１ボールスタッド４２４の嵌合により支持されていることが好ましい。
【００２５】
また、第２上継手部６１と第２下継手部６２を接続する第２ボールジョイント６３は、第２上継手部６１の内部に設けられた第２ソケット部６１４を有していることが好ましい。そして、第２下継手部６２の第２部分凹球面６２２の中央部付近から、第２ソケット部６１４に向けて起立する第２ボールスタッド６２４を有し、第２ソケット部６１４と第２ボールスタッド６２４の嵌合により支持されていることが好ましい。
【００２６】
第１竪樋２は、図１に示すように、免震建物の屋根８１の軒先に取り付けられた軒樋８２に接続され、さらに、竪樋控え具８３により上部建物８の壁面に、地面に対して垂直方向に固定されている。また、第１竪樋２の下端部は免震装置１０より上に位置している。
【００２７】
第１竪樋２を固定する竪樋控え具８３の個数及び間隔は、第１竪樋２が容易に外れない強度を保持できれば特に限定されるものではないが、通常、各々１０００ｍｍ程度の間隔の取り付けが考慮される。
【００２８】
第２竪樋７は、基礎９の側面に竪樋控え具８３により取り付けられており、下端部は地面の排水口に接続され、上端部は免震装置１０より下に位置している。
【００２９】
第１竪樋２と第２竪樋７は接続部材３を介して接続されており、接続部材３は、筒状部材５、第１自在継手部材４及び第２自在継手部材６から構成されている。
【００３０】
筒状部材５は、第１竪樋２からの雨水を第２竪樋７に通すための部材であり、長さは第１竪樋２の下端部と第２竪樋７の上端部の間隔、即ち免震装置１０の高さに応じて適宜決定され、特に限定されるものではないが、通常、７７０ｍｍ程度が考慮される。また、筒状部材５の色や形状は、建物全体のデザイン等の観点から、第１竪樋２及び第２竪樋７と同色、同形状とするのが好ましい。
【００３１】
筒状部材５の上端部には第１自在継手部材４が設けられている。第１自在継手部材４は、図２、図３、図４に示すように、第１上継手部４１と第１下継手部４２から構成されている。
【００３２】
第１上継手部４１は、第１竪樋２の下端部に外側から嵌合可能な管状接続部４１１と、管状接続部４１１の下部に設けられた雨水の通水口４１３を有する第１部分凸球面４１２を有している。また、管状接続部４１１の内径は、第１部分凸球面４１２の上端部の内径より少し大きく、内部に段部４１７を有しており、第１竪樋２を嵌合させたときに、第１竪樋２の下端部が段部４１７に当接して、安定して接続できるようになっている。
【００３３】
第１下継手部４２は、筒状部材５の上端部に外側から嵌合可能な管状接続部４２１と、管状接続部４２１の上部に設けられた雨水の通水口４２３を有する第１部分凹球面４２２を有している。
【００３４】
第１上継手部４１と第１下継手部４２は、第１ボールジョイント４３により接続されている。第１ボールジョイント４３は、図４に示すように、第１上継手部４１に形成された第１ソケツト部４１４と、第１下継手部４２に設けられた第１ボールスタッド４２４により構成されている。
【００３５】
第１上継手部４１に形成された第１ソケット部４１４は、第１部分凸球面４１２の内壁面から中央に向けて突出する複数の支持アーム部４１５と、支持アーム部４１５の先端に設けられたボール受け部４１６を備えている。
【００３６】
第１下継手部４２に設けられた第１ボールスタッド４２４は、第１部分凹球面４２２を形成するボールスタッド支持部の中央部付近から、第１ソケット部４１４のボール受け部４１６に向けて起立するスタッド軸４２５と、スタッド軸４２５の先端部に設けられたボール４２６を備えている。スタッド軸４２５の長さ及びボール４２６の径は、第１上継手部４１と第１下継手部４２が接続された状態において、第１ソケット部４１４でボール４２６が支持されるように設定されている。
【００３７】
そして、第１上継手部４１と第１下継手部４２は、第１部分凸球面４１２と第１部分凹球面４２２が摺動自在に密着した状態で、第１ソケット部４１４のボール受け部４１６が第１ボールスタッド４２４のボール４２６と嵌合して接続されており、これにより第１自在継手部材４が構成されている。
【００３８】
筒状部材５の下端部には第２自在継手部材６が設けられている。第２自在継手部材６は、第１自在継手部材４と同様の構造を備えたものであり、図２、図３、図５に示すように、第２上継手部６１と第２下継手部６２から構成されている。
【００３９】
第２上継手部６１は、筒状部材５の下端部に外側から嵌合可能な管状接続部６１１と、管状接続部６１１の下部に設けられた雨水の通水口６１３を有する第２部分凸球面６１２を有している。また、管状接続部６１１の内径は、第２部分凸球面６１２の上端部の内径より少し大きく、内部に段部６１７を有しており、筒状部材５を嵌合させたときに、筒状部材５の下端部が段部６１７に当接して、安定して接続できるようになっている。
【００４０】
第２下継手部６２は、第２竪樋７の上端部に外側から嵌合可能な管状接続部６２１と、管状接続部６２１の上部に設けられた雨水の通水口６２３を有する第２部分凹球面６２２を有している。
【００４１】
第２上継手部６１と第２下継手部６２は、第２ボールジョイント６３により接続されている。第２ボールジョイント６３は、図５に示すように、第２上継手部６１に形成された第２ソケツト部６１４と、第２下継手部６２に設けられた第２ボールスタッド６２４により構成されている。
【００４２】
第２上継手部６１に形成された第２ソケット部６１４は、第２部分凸球面６１２の内壁面から中央に向けて突出する複数の支持アーム部６１５と、支持アーム部６１５の先端に設けられたボール受け部６１６を備えている。
【００４３】
第２下継手部６２に設けられた第２ボールスタッド６２４は、第２部分凹球面６２２を形成するボールスタッド支持部の中央部付近から、第２ソケット部６１４のボール受け部６１６に向けて起立するスタッド軸６２５と、スタッド軸６２５の先端部に設けられたボール６２６を有している。スタッド軸６２５の長さ及びボール６２６の径は、第２上継手部６１と第２下継手部６２が接続された状態において、第２ソケット部６１４でボール６２６が支持されるように設定されている。
【００４４】
そして、第２上継手部６１と第２下継手部６２は、第２部分凸球面６１２と第２部分凹球面６２２が摺動自在に密着した状態で、第２ソケット部６１４のボール受け部６１６が第２ボールスタッド６２４のボール６２６と嵌合して接続されており、これにより第２自在継手部材６が構成されている。
【００４５】
本実施形態の接続部材３においては、第１部分凸球面４１２と第１部分凹球面４２２及び、第２部分凸球面６１２と第２部分凹球面６２２が、各々、第１竪樋２と第２竪樋７の外径の内側に位置している。これにより、通常の設置常態において、第１竪樋２と接続部材３と第２竪樋７とが直線的に配置できるため、デザイン性に優れた免振建物用竪樋１とすることができる。
【００４６】
また、本実施形態の免振建物用竪樋１における、第１竪樋２と接続部材３及び接続部材３と第２竪樋７は強固に固定されている。具体的には、第１竪樋２の下端部と第１自在継手部材４の第１上継手部４１（管状接続部４１１）が固定されており、第２竪樋７の上端部と第２自在継手部材６の第２下継手部６２（管状接続部６２１）が固定されている。
【００４７】
さらに、本実施形態の接続部材３においては、第１下継手部４２と筒状部材５の上端部又は、筒状部材５の下端部と第２上継手部６１の何れかが固定されていない状態となっている。即ち、筒状部材５と固定されていない第１下継手部４２の管状接続部４２１又は第２上継手部６１の管状接続部６１１は、筒状部材５を挿入した状態で、長手方向に摺動可能に保持した状態となっている。なお、筒状部材５と固定されていない状態の第１下継手部４２の管状接続部４２１又は第２上継手部６１の管状接続部６１１の長さは、長手方向の摺動範囲を考慮して決定することが好ましい。
【００４８】
上記の条件で固定することにより、例えば、図６に示すような、基礎９に対して上部建物８が左にずれた状態や、図７に示すような、上部建物８が前方にずれた状態になっても、図３に示すように、接続部材３が伸びるため、竪樋の破損を防止することができる。
【００４９】
上記の第１竪樋２及び第２竪樋７と接続部材３の固定方法、第１下継手部４２又は第２上継手部６１と筒状部材５の固定方法は、各々が容易に外れない状態に固定できれば特に限定されるものではない。具体的には、例えば、接着剤による固定、ねじや釘による固定、竪樋内壁面に形成した雌ねじと固定部材端部に形成した雄ねじとの螺合による固定等を挙げることができる。
【００５０】
上記の構造を有する本実施形態の免振建物用竪樋１によれば、免震装置１０の動作に伴って基礎９に対して上部建物８が動いた場合でも、第１自在継手部材４と第２自在継手部材６による接続部材３の動作により竪樋の破損を防止することができる。
【００５１】
また、接続部材３の外径が第１竪樋２及び第２竪樋７と同一又はそれ以下であるため、優れたデザイン性を有する免振建物用竪樋１とすることができる。
【００５２】
以上、実施形態に基づき本発明の免振建物用竪樋１を説明したが、本発明は上記の実施形態に何ら限定されるものではなく、その要旨を逸脱しない範囲内において各種の変更が可能である。
【００５３】
例えば、上記実施形態では、第１竪樋２及び第２竪樋７の外側から接続部材３の管状接続部を被せて固定したが、管状接続部を内側に挿入して固定する構造とすることもできる。これにより、管状接続部が外側から視認できなくなるため、より免振建物用竪樋１のデザイン性を向上させることが可能となる。
【符号の説明】
【００５４】
１  免振建物用竪樋
２  第１竪樋
３  接続部材
４  第１自在継手部材
４１  第１上継手部
４１２  第１部分凸球面
４１３  通水口
４１４  第１ソケット部
４２  第１下継手部
４２２  第１部分凹球面
４２３  通水口
４２４  第１ボールスタッド
４３  第１ボールジョイント
５  筒状部材
６  第２自在継手部材
６１  第２上継手部
６１２  第２部分凸球面
６１３  通水口
６１４  第２ソケット部
６２  第２下継手部
６２２  第２部分凹球面
６２３  通水口
６２４  第２ボールスタッド
６３  第２ボールジョイント
７  第２竪樋
８  上部建物
８２  軒樋
９  基礎
１０  免震装置
【図１】
2018178632.tif 000003
【図２】
2018178632.tif 000004
【図３】
2018178632.tif 000005
【図４】
2018178632.tif 000006
【図５】
2018178632.tif 000007
【図６】
2018178632.tif 000008
【図７】
2018178632.tif 000009